(57)【要約】【課題】表示むらを改善可能な表示装置を提供することにある。【解決手段】表示装置は、複数の駆動回路と、前記複数の駆動回路の出力に各々接続される複数の駆動電極と、を含む。前記複数の駆動電極内の少なくとも１つ駆動電極の面積は、他より小さい。面積が小さい前記少なくとも１つの駆動電極に対応する駆動回路の出力の時定数を調整するための時定数調整回路を有する。【選択図】図１３
2020095491.tif 000002
【特許請求の範囲】
【請求項１】
複数の駆動回路と、
前記複数の駆動回路の出力に各々接続される複数の駆動電極と、を含み、
前記複数の駆動電極内の少なくとも１つ駆動電極の面積は、他より小さく、
面積が小さい前記少なくとも１つの駆動電極に対応する駆動回路の出力の時定数を調整するための時定数調整回路を有する、
表示装置。
【請求項２】
前記時定数調整回路による時定数の調整は、抵抗の切り替えにより行われる、請求項１に記載の表示装置。
【請求項３】
前記時定数調整回路による時定数の調整は、容量の切り替えにより行われる、請求項１に記載の表示装置。
【請求項４】
前記複数の駆動電極と対向した複数の画素電極を有し、
前記複数の駆動電極と前記複数の画素電極との間に液晶層を有し、
表示期間において、前記複数の駆動電極と前記複数の画素電極との間に所定の電圧が印加され、
前記表示期間と異なるタッチ検出期間において、前記複数の駆動電極に外部近接物体を検出するための交流電圧が印加される、請求項１に記載の表示装置。
【請求項５】
前記複数の駆動電極は、マトリクス状に配置され、
前記複数の駆動電極は、セルフ検出により駆動される、請求項４に記載の表示装置。
【請求項６】
前記複数の駆動電極に対向する複数の検出電極を含み、
前記複数の駆動電極と前記複数の検出電極は、ミューチャル検出により駆動される、請求項４に記載の表示装置。
【請求項７】
レジスタを含み、
前記時定数の調整は、前記レジスタへの設定によって行われる、請求項１に記載の表示装置。
【請求項８】
前記複数の駆動電極を含み、平面視において、矩形形状の表示パネルを有し、
面積が小さい前記少なくとも１つの駆動電極は、
前記表示パネルの４つの角部に配置される駆動電極、および、前記表示パネルの上部の１／５より上に配置される駆動電極の内の少なくとも１つの駆動電極である、請求項１に記載の表示装置。
【発明の詳細な説明】
【技術分野】
【０００１】
本発明は表示装置に関し、特に、タッチセンサを備えた表示装置に適用可能である。
【背景技術】
【０００２】
液晶表示パネルの内部にタッチパネルを内蔵したインセル方式の液晶表示装置が提案されている（たとえば、特開２０１４−１０２６６５号公報）。インセル方式の場合、複数の共通電極は、映像表示期間には共通して所定の電圧が印加され、タッチ検出期間にはパルス状の駆動パルスが印加される。そのため、検出期間においては、共通電極はタッチ検出用の駆動電極として利用される。
【先行技術文献】
【特許文献】
【０００３】
【特許文献１】特開２０１４−１０２６６５号公報
【発明の概要】
【発明が解決しようとする課題】
【０００４】
表示装置等の携帯機器において複数の駆動電極内の１部の駆動電極は、その面積を小さくする場合がある。面積が小さい駆動電極の時定数は、他の駆動電極の時定数と比較して、小さくなる。映像表示期間において、複数の駆動電極（共通電極）には、共通して所定の電圧（ＶＣＯＭ）が印加される。複数の共通電極間においてその時定数が異なると、表示パネルの表示品質が低下するという課題がある。
【０００５】
本発明の目的は、表示むらを改善可能な表示装置を提供することにある。
【０００６】
その他の課題と新規な特徴は、本明細書の記述および添付図面から明らかになるであろう。
【課題を解決するための手段】
【０００７】
本発明のうち代表的なものの概要を簡単に説明すれば下記の通りである。
【０００８】
すなわち、表示装置は、複数の駆動回路と、前記複数の駆動回路の出力に各々接続される複数の駆動電極と、を含む。前記複数の駆動電極内の少なくとも１つ駆動電極の面積は、他より小さい。面積が小さい前記少なくとも１つの駆動電極に対応する駆動回路の出力の時定数を調整するための時定数調整回路を有する。
【図面の簡単な説明】
【０００９】
【図１】実施の形態のセンサ付き表示装置における表示装置の概略の構成を示す図である。
【図２】実施の形態のセンサ付き表示装置の構造を示す断面図である。
【図３Ａ】実施の形態に係るセンサ付き表示装置のミューチャル検出方式の代表的な基本構成を示す図である。
【図３Ｂ】実施の形態に係るセルフ（Ｓｅｌｆ）検出方式の代表的な基本構成を示す図である。
【図４Ａ】実施の形態のセンサ付き表示装置のミューチャル検出方式の駆動方法を説明するための図である。
【図４Ｂ】実施の形態のセンサ付き表示装置のセルフ検出方式との駆動方法を説明するための図である。
【図５】実施の形態に係るセンサ付き表示装置におけるセンサの構成例を概念的に示す平面図である。
【図６】実施の形態に係るセンサ付き表示装置におけるセンサの他の構成例を概念的に示す平面図である。
【図７】比較例に係る入出力回路を示す図である。
【図８】実施の態様に係る面積の異なる駆動電極を説明する図である。
【図９】映像表示期間におけるタイミングチャートを示す図である。
【図１０】図９の共有電極の電位変化を、駆動電極の面積に基づいて示した波形図である。
【図１１】面積の異なる駆動電極を有する表示パネルの表示例を示す図である。
【図１２】検出期間における面積の異なる駆動電極の駆動パルスの波形の違いを説明する図である。
【図１３】実施の態様に係る時定数調整回路を備えた入出力回路を示す図である。
【図１４】時定数調整回路を用いた場合の映像表示期間における共有電極の電位変化を説明する波形図である。
【図１５】時定数調整回路を用いた場合の検出期間における駆動電極の駆動パルスの波形図である。
【図１６】図８に示す駆動電極を駆動する場合の時定数調整回路の状態とその等価回路とを示す図である。
【図１７】変形例１に係る時定数調整回路を示す図である。
【図１８】変形例２に係る時定数調整回路を示す図である。
【図１９】表示パネルの上部側に１つのノッチ部が設けられた場合の駆動電極の平面図である。
【図２０】表示パネルの上部側に１つのホール部が設けられた場合の駆動電極の平面図である。
【図２１】網掛けで示される駆動電極およびそれ以外の駆動電極に対する回路構成を示す図である。
【発明を実施するための形態】
【００１０】
以下に、本発明の実施の形態および変形例について、図面を参照しつつ説明する。
【００１１】
なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
【００１２】
また、本明細書と各図において、既出の図に関して前述したものと同様の要素には、同一の符号を付して、詳細な説明を適宜省略することがある。
【００１３】
本実施形態においては、表示装置の一例として、液晶表示装置を開示する。この液晶表示装置は、例えば、スマートフォン、タブレット端末、携帯電話端末、パーソナルコンピュータ、テレビ受像装置、車載装置、ゲーム機器等の種々の装置に用いることができる。
【００１４】
「表示装置」とは、表示パネルを用いて映像を表示する表示装置全般を指す。「表示パネル」とは、電気光学層を用いて映像を表示する構造体を指す。例えば、表示パネルという用語は、電気光学層を含む表示セルを指す場合もあるし、表示セルに対して他の光学部材（例えば、偏光部材、バックライト、タッチパネル等）を装着した構造体を指す場合もある。ここで、「電気光学層」には、技術的な矛盾を生じない限り、液晶層、エレクトロクロミック（ＥＣ）層などが含まれ得る。したがって、後述する実施形態について、表示パネルとして、液晶層を含む液晶パネルを例示して説明するが、上述した他の電気光学層を含む表示パネルへの適用を排除するものではない。
【００１５】
（実施形態）
図１は、実施の形態のセンサ付き表示装置における表示装置の概略の構成を示す図である。なお、実施の形態において、表示装置は液晶表示装置である。
【００１６】
センサ付き表示装置ＤＳＰは、表示パネルＰＮＬと、表示パネルＰＮＬを背面側から照明するバックライトＢＬＴと、を備えている。そして表示パネルＰＮＬには、マトリクス状に配置された表示画素ＰＸを含む表示部が設けられている。
【００１７】
図１に示すように、表示部においては、複数の表示画素ＰＸが配列する行に沿って延びるゲート線Ｇ（Ｇ１、Ｇ２…）と、複数の表示画素ＰＸが配列する列に沿って延びるソース線Ｓ（Ｓ１、Ｓ２…）と、ゲート線(走査線)Ｇとソース線(信号線)Ｓが交差する位置近傍に配置された画素スイッチＳＷとが備えられている。複数の表示画素ＰＸの各々は共通電極ＣＯＭＥに対向した画素電極ＰＥを有し、対向する画素電極ＰＥと共通電極ＣＯＭＥの間に液晶層を有する。共通電極ＣＯＭＥは複数の共通電極Ｃｏｍｅ（Ｃｏｍｅ１，Ｃｏｍｅ２，Ｃｏｍｅ３・・・・）を含む。複数の行方向（Ｘ方向）に延在された複数の共通電極Ｃｏｍｅは列方向（Ｙ方向）に配置される。尚、複数の列方向（Ｙ方向）に延在された複数の共通電極Ｃｏｍｅを行方向（Ｘ方向）に配置する構成としてもよい。また、複数の共通電極を複数の行方向（Ｘ方向）と複数の行方向（Ｘ方向）にマトリックス状に配置してもよい。
【００１８】
画素スイッチＳＷは薄膜トランジスタ（ＴＦＴ：Ｔｈｉｎ  Ｆｉｌｍ  Ｔｒａｎｓｉｓｔｏｒ）を備えている。画素スイッチＳＷのゲート電極は対応するゲート線Ｇと電気的に接続されている。画素スイッチＳＷのソース電極は対応するソース線Ｓと電気的に接続されている。画素スイッチＳＷのドレイン電極は対応する画素電極ＰＥと電気的に接続されている。
【００１９】
また、複数の表示画素ＰＸを駆動する駆動手段として、ゲートドライバＧＤ（左側ＧＤ−Ｌおよび右側ＧＤ−Ｒ）、ソースドライバＳＤ、共通電極駆動回路ＣＤとが設けられている。複数のゲート線Ｇは各々ゲートドライバＧＤの出力部と電気的に接続されている。複数のソース線Ｓは各々ソースドライバＳＤの出力部と電気的に接続されている。複数の共通電極Ｃｏｍｅは共通電極駆動回路ＣＤの出力部と電気的に接続されている。図１においては、ソースドライバＳＤと共通電極駆動回路ＣＤとが、駆動回路（Ｄｒｉｖｅｒ  ｃｉｒｃｕｉｔ）内に設けられるように描かれている。各々のゲートドライバＧＤ、ソースドライバＳＤ、共通電極駆動回路ＣＤ、およびバックライトＢＬＴの制御信号を生成する制御回路ＣＴＲ（Ｃｏｎｔｒｏｌ  ｃｉｒｃｕｉｔ）も駆動回路（Ｄｒｉｖｅｒ  ｃｉｒｃｕｉｔ）内に設けられる。尚、駆動回路（Ｄｒｉｖｅｒ  ｃｉｒｃｕｉｔ）は１チップの半導体集積回路（ＩＣ）に含まれるが、複数のチップで構成されるようにしてもよい。また、制御回路ＣＴＲ（Ｃｏｎｔｒｏｌ  ｃｉｒｃｕｉｔ）は表示パネルＰＮＬの外部に設けるようにしてもよい。
【００２０】
ゲートドライバＧＤとソースドライバＳＤと共通電極駆動回路ＣＤとは、表示部の周囲の周辺領域（額縁領域）あるいは表示パネルＰＮＬに接続されたフレキシブル基板上に配置される。ゲートドライバＧＤは複数のゲート線Ｇにオン電圧を順次印加して、選択されたゲート線Ｇに電気的に接続された画素スイッチＳＷのゲート電極にオン電圧を供給する。ゲート電極にオン電圧が供給された画素スイッチＳＷの、ソース電極−ドレイン電極間が導通する。ソースドライバＳＤは、複数のソース線Ｓのそれぞれに対応する出力信号を供給する。ソース線Ｓに供給された信号は、ソース電極−ドレイン電極間が導通した画素スイッチＳＷを介して対応する画素電極ＰＥに供給される。
【００２１】
表示パネルＰＮＬの外部に設けられたホスト装置（Ｈｏｓｔ）から画像信号、制御信号等が制御回路ＣＴＲ（Ｃｏｎｔｒｏｌ  ｃｉｒｃｕｉｔ）に入力され、ゲートドライバＧＤとソースドライバＳＤと共通電極駆動回路ＣＤは、表示パネルＰＮＬの外部あるいは内部に配置された制御回路ＣＴＲ（Ｃｏｎｔｒｏｌ  ｃｉｒｃｕｉｔ）により動作を制御される。バックライトＢＬＴは制御回路ＣＴＲ（Ｃｏｎｔｒｏｌ  ｃｉｒｃｕｉｔ）で生成されたバックライト制御信号に基づいてバックライト用駆動回路（ＢＬ  ｄｒｉｖｅ  ｃｉｒｃｕｉｔ）にてバックライトＢＬＴの駆動を行う。バックライト用駆動回路（ＢＬ  ｄｒｉｖｅ  ｃｉｒｃｕｉｔ）は表示パネルＰＮＬの内部に配置されてもよいし、表示パネルＰＮＬの外部に配置されてもよい。
【００２２】
図２は、実施の形態のセンサ付き表示装置の構造を示す断面図である。
【００２３】
センサ付き表示装置ＤＳＰは、インセル型のタッチセンサを有するものであり、表示パネルＰＮＬ、バックライトＢＬＴ、第１光学素子ＯＤ１及び第２光学素子ＯＤ２を備えている。図示した例では、表示パネルＰＮＬは、液晶表示パネルであるが、有機エレクトロルミネッセンス表示パネル、マイクロＬＥＤ表示パネルなどの他のフラットパネルであっても良い。また、図示した表示パネルＰＮＬは、表示モードとして横電界モードに対応した構成を有しているが、他の表示モードに対応した構成を有していても良い。
【００２４】
表示パネルＰＮＬは、第１基板ＳＵＢ１、第２基板ＳＵＢ２、及び、液晶層ＬＱを備えている。第１基板ＳＵＢ１と第２基板ＳＵＢ２とは所定のセルギャップを形成した状態で貼り合わされている。液晶層ＬＱは、第１基板ＳＵＢ１と第２基板ＳＵＢ２との間のセルギャップに保持されている。
【００２５】
第１基板ＳＵＢ１は、ガラス基板や樹脂基板などの光透過性を有する第１絶縁基板１０を用いて形成されている。第１基板ＳＵＢ１は、第１絶縁基板１０の第２基板ＳＵＢ２に対向する側に、ソース線Ｓ、共通電極ＣＯＭＥ、画素電極ＰＥ、第１絶縁膜１１、第２絶縁膜１２、第３絶縁膜１３、第１配向膜ＡＬ１などを備えている。
【００２６】
ここで、画素電極ＰＥ及び共通電極ＣＯＭＥは、これら電極間に配置される液晶層の画素領域とともに表示画素を構成し、表示画素は表示パネルＰＮＬにマトリクス状に配置されている。
【００２７】
第１絶縁膜１１は、第１絶縁基板１０の上に配置されている。なお、詳述しないが、第１絶縁基板１０と第１絶縁膜１１との間には、ゲート線Ｇ、スイッチング素子のゲート電極や半導体層などが配置されている。ソース線Ｓは、第１絶縁膜１１の上に形成されている。また、スイッチング素子のソース電極やドレイン電極なども第１絶縁膜１１の上に形成されている。図示した例では、ソース線Ｓは、複数の共通電極Ｃｏｍｅと平行して第２方向Ｙに延出している。
【００２８】
第２絶縁膜１２は、ソース線Ｓ及び第１絶縁膜１１の上に配置されている。共通電極ＣＯＭＥは、第２絶縁膜１２の上に形成されている。図示した例では、共通電極ＣＯＭＥは、複数のセグメント（複数の共通電極Ｃｏｍｅ）に分割されている。共通電極ＣＯＭＥの各セグメントは、それぞれ第２方向Ｙに延出し、間隔をおいて第１方向Ｘに並んでいる。このような共通電極ＣＯＭＥは、インジウム・ティン・オキサイド（ＩＴＯ）やインジウム・ジンク・オキサイド（ＩＺＯ）などの透明な導電材料によって形成されている。なお、図示した例では、共通電極ＣＯＭＥの上に金属層ＭＬが形成され、共通電極ＣＯＭＥを低抵抗化しているが、金属層ＭＬは省略しても良い。
【００２９】
第３絶縁膜１３は、共通電極ＣＯＭＥ、金属層ＭＬ、及び第２絶縁膜１２の上に配置されている。画素電極ＰＥは、第３絶縁膜１３の上に形成されている。各画素電極ＰＥは、隣接するソース線Ｓの間にそれぞれ位置し、共通電極ＣＯＭＥと対向している。また、各画素電極ＰＥは、共通電極ＣＯＭＥと対向する位置にスリットＳＬを有している。このような画素電極ＰＥは、例えば、ＩＴＯやＩＺＯなどの透明な導電材料によって形成されている。第１配向膜ＡＬ１は、画素電極ＰＥ及び第３絶縁膜１３を覆っている。
【００３０】
一方、第２基板ＳＵＢ２は、ガラス基板や樹脂基板などの光透過性を有する第２絶縁基板２０を用いて形成されている。第２基板ＳＵＢ２は、第２絶縁基板２０の第１基板ＳＵＢ１に対向する側に、ブラックマトリクスＢＭ、カラーフィルタＣＦＲ、ＣＦＧ、ＣＦＢ、オーバーコート層ＯＣ、第２配向膜ＡＬ２などを備えている。
【００３１】
ブラックマトリクスＢＭは、第２絶縁基板２０の内面に形成され、各画素を区画している。カラーフィルタＣＦＲ、ＣＦＧ、ＣＦＢは、それぞれ第２絶縁基板２０の内面に形成され、それらの一部がブラックマトリクスＢＭに重なっている。カラーフィルタＣＦＲは例えば赤色カラーフィルタであり、カラーフィルタＣＦＧは例えば緑色カラーフィルタであり、カラーフィルタＣＦＢは例えば青色カラーフィルタである。オーバーコート層ＯＣは、カラーフィルタＣＦＲ、ＣＦＧ、ＣＦＢを覆っている。オーバーコート層ＯＣは、透明な樹脂材料によって形成されている。第２配向膜ＡＬ２は、オーバーコート層ＯＣを覆っている。
【００３２】
検出電極ＤＥＴＥは、第２絶縁基板２０の外面に形成されている。この検出電極ＤＥＴＥは、共通電極ＣＯＭＥの各セグメントと交差する方向に延出しており、図示した例では、第１方向Ｘに延出している。このような検出電極ＤＥＴＥは、例えば、ＩＴＯやＩＺＯなどの透明な導電材料によって形成されている。
【００３３】
バックライトＢＬＴは、表示パネルＰＮＬの背面側に配置されている。バックライトＢＬＴとしては、種々の形態が適用可能であり、光源として発光ダイオード（ＬＥＤ）を利用したものや冷陰極管（ＣＣＦＬ）を利用したものなどのいずれでも適用可能である。
【００３４】
第１光学素子ＯＤ１は、第１絶縁基板１０とバックライトＢＬＴとの間に配置されている。第２光学素子ＯＤ２は、検出電極ＤＥＴＥの上に配置されている。第１光学素子ＯＤ１及び第２光学素子ＯＤ２は、それぞれ少なくとも偏光板を含んでおり、必要に応じて位相差板を含んでいても良い。
【００３５】
次に、センサ付き表示装置ＤＳＰに用いられるタッチセンサについて説明する。タッチセンサにおいて、タッチパネルに対して利用者の指或いはペン等の外部近接物体が触れていること、或いは近接していることを検出する方式として、ミューチャル（Ｍｕｔｕａｌ）検出方式と、セルフ（Ｓｅｌｆ）検出方式と、がある。
【００３６】
＜ミューチャル（Ｍｕｔｕａｌ）検出方式＞
図３Ａは、実施の形態に係るセンサ付き表示装置のミューチャル検出方式の代表的な基本構成を示す図である。センサとしては、共通電極ＣＯＭＥと検出電極ＤＥＴＥとが利用される。
【００３７】
共通電極ＣＯＭＥは、複数の共通電極Ｃｏｍｅ（Ｃｏｍｅ１，Ｃｏｍｅ２，Ｃｏｍｅ３・・・・）を含む。複数の共通電極Ｃｏｍｅは、例えば、ストライプ状とされる。この複数の共通電極Ｃｏｍｅ（Ｃｏｍｅ１，Ｃｏｍｅ２，Ｃｏｍｅ３・・・・）が走査（駆動）方向（Ｙ方向またはＸ方向）に配列されている。
【００３８】
一方、検出電極ＤＥＴＥは、複数の検出電極Ｄｅｔｅ（Ｄｅｔｅ１，Ｄｅｔｅ２，Ｄｅｔｅ３，・・・・）（共通電極よりも細い）を含む。複数の検出電極Ｄｅｔｅは、例えば、ストライプ状とされる。この複数の検出電極Ｄｅｔｅ（Ｄｅｔｅ１，Ｄｅｔｅ２，Ｄｅｔｅ３，・・・・）は、複数の共通電極Ｃｏｍｅと直交あるいは交差する方向（Ｘ方向またはＹ方向）に配列されている。
【００３９】
共通電極ＣＯＭＥと検出電極ＤＥＴＥは、間隔を置いて配置される。このために、複数の共通電極Ｃｏｍｅと、複数の検出電極Ｄｅｔｅとの間には、基本的に静電容量としての容量Ｃｃ(Baseline容量)が存在する。
【００４０】
複数の共通電極Ｃｏｍｅは映像表示期間（表示期間）には共通して所定の電圧が印加され、タッチ検出期間（検出期間）にはパルス状の駆動パルスが印加される。そのため、検出期間においては、複数の共通電極Ｃｏｍｅの各々は駆動電極（Ｔｘ）ということもできる。複数の検出電極Ｄｅｔｅは複数の共通電極Ｃｏｍｅからの信号を受信するため、Ｒｘ（Ｒｘ１、Ｒｘ２、Ｒｘ３、・・・・）と表記することもできる。
【００４１】
複数の共通電極Ｃｏｍｅ、すなわち、ミューチャル検出方式のタッチ検出時の駆動電極Ｔｘ（Ｔｘ１，Ｔｘ２，Ｔｘ３・・・・）は所定の周期で交流電圧の様な駆動パルス（Ｓｉｇ）により走査される。今、ユーザの指が検出電極Ｒｘ２と駆動電極Ｔｘ２の交差部に近接して存在するものとする。この時、駆動電極Ｔｘ２に駆動パルス（Ｓｉｇ）が供給されると検出電極Ｒｘ（Ｒｘ１、Ｒｘ２、Ｒｘ３、・・・・）にはパルス状の波形が得られ、検出電極Ｒｘ２からは、他の検出電極から得られるパルスよりも振幅レベルの低いパルスが得られる。検出電極Ｒｘ（Ｒｘ１、Ｒｘ２、Ｒｘ３、・・・・）は駆動電極Ｔｘ（Ｔｘ１，Ｔｘ２，Ｔｘ３・・・・）からのフリンジ電界を監視しており、指のような導電物が近接すると、このフリンジ電界を遮蔽する効果がある。フリンジ電界が遮蔽されることで、検出電極Ｒｘの検出電位が低下する。
【００４２】
ミューチャル検出では、この検出電位の差を、ポジションＤＥＴＰの検出パルスとして取り扱うことができる。図示される容量Ｃｘは、ユーザの指が検出電極ＤＥＴＥに近い場合と、遠い場合とで異なる。このために検出パルスのレベルもユーザの指が検出電極ＤＥＴＥに近い場合と、遠い場合とで異なる。よって、タッチパネルの平面に対する指の近接度を検出パルスの振幅レベルで判断することができる。駆動パルスＳｉｇによる電極駆動タイミングと、検出パルスの出力タイミングにより、タッチパネルの平面上の指の２次元上の位置を検出することができる。
【００４３】
＜セルフ（Ｓｅｌｆ）検出方式＞
図３Ｂは、実施の形態に係るセルフ（Ｓｅｌｆ）検出方式の代表的な基本構成を示す図である。セルフ（Ｓｅｌｆ）検出方式では、複数の検出電極Ｄｅｔｅ及び複数の共通電極Ｃｏｍｅにパルス状の自己検出用駆動パルスを順次供給して、外部近接物体であるユーザの指の位置や座標を検出する。図３Ｂには、例示的に、検出電極Ｄｅｔｅ２と共通電極Ｃｏｍｅ２を示しており、また、検出電極Ｄｅｔｅ２と共通電極Ｃｏｍｅ２との交点部分に、ユーザの指Ｏ１が接近または接触している場合を示している。ユーザの指Ｏ１により、検出電極Ｄｅｔｅ２の静電容量は、Ｄｅｔｅ２の自己容量とユーザの指Ｏ１による容量Ｃｘ１とが加算された値となる。同様に、共通電極Ｃｏｍｅ２の静電容量は、共通電極Ｃｏｍｅ２の自己容量とユーザの指Ｏ１による容量Ｃｘ２とが加算された値となる。この状態において、例えば、最初に、検出電極Ｄｅｔｅ２が所定のインピーダンスＲ１を介して交流電圧の様な自己検出用駆動パルスＳｉｇ１により駆動され、検出電極Ｄｅｔｅ２の増加された静電容量が自己検出用駆動パルスＳｉｇ１により充電される。検出回路ＤＥＴ１は、容量Ｃｘ１により増加した充電電圧の値に基づいて検出電極Ｄｅｔｅ２にユーザの指Ｏ１が有ることを検出する。次に、共通電極Ｃｏｍｅ２が所定のインピーダンスＲ２を介して交流電圧の様な自己検出用駆動パルスＳｉｇ２により駆動され、共通電極Ｃｏｍｅ２の増加された静電容量が自己検出用駆動パルスＳｉｇ２により充電される。検出回路ＤＥＴ２は、容量Ｃｘ２により増加した充電電圧の値に基づいて検出電極Ｄｅｔｅ２にユーザの指Ｏ１が有ることを検出する。これにより、検出電極Ｄｅｔｅ２と共通電極Ｃｏｍｅ２との交点にユーザの指Ｏ１が有ることが検出され、タッチパネルの平面上のユーザの指Ｏ１の位置や座標が検出される。
【００４４】
図３Ｂには図示されないが、図３Ａと同様に、センサとしては、共通電極ＣＯＭＥと検出電極ＤＥＴＥとが利用される。自己検出用駆動パルスＳｉｇ２により順次駆動（走査）される複数の共通電極Ｃｏｍｅは、図３Ａと同様に、複数のストライプ状の共通電極（Ｃｏｍｅ１，Ｃｏｍｅ２，Ｃｏｍｅ３・・・・）を含む。この複数の共通電極ＣｏｍｅがＹ方向またはＸ方向に配列されている。同様に、自己検出用駆動パルスＳｉｇ１により順次駆動（走査）される検出電極ＤＥＴＥは、複数のストライプ状の検出電極（Ｄｅｔｅ１，Ｄｅｔｅ２，Ｄｅｔｅ３，・・・・）（実際には、図３Ａと同様に、ストライプ状の共通電極よりも細い）を含む。この複数の検出電極Ｄｅｔｅは、複数の共通電極Ｃｏｍｅと直交または交差する方向（Ｘ方向またはＹ方向）に配列されている。図３Ｂに示されるような構成を用いて、複数の検出電極Ｄｅｔｅと複数の共通電極Ｃｏｍｅの両方をセルフ検出方式で順次駆動(走査)することにより、複数の検出電極Ｄｅｔｅと複数の共通電極Ｃｏｍｅの交点における外部近接物体Ｏ１の位置を検出できる。なお、セルフ検出方式における検出期間において、複数の検出電極Ｄｅｔｅと複数の共通電極Ｃｏｍｅとは、いずれも検出電極と見做すことが出来る。
【００４５】
また、このようなセルフ検出方式はタッチセンサが低消費電力モード時において検出電極ＤＥＴＥのみを自己検出用駆動パルスＳｉｇ１により駆動し、指等の外部近接物体の有無のみを検出し、ミューチュアル検出に切り替え外部近接物体の座標を検出するようにしてもよい。また、検出電極ＤＥＴＥを設けないで、複数の共通電極Ｃｏｍｅを個別に行方向（Ｘ方向）と列方向（Ｙ方向）にマトリックス状に配置し、複数の共通電極Ｃｏｍｅのみのよるセルフ検出方式にて指等の外部近接物体の座標を検出するようにしてもよい。
【００４６】
尚、図３Ａ、図３Ｂには図示されないが、スイッチ等によりミューチャル（Ｍｕｔｕａｌ）検出方式と、セルフ（Ｓｅｌｆ）検出方式とを切り替え可能な構成にしてもよい。また、図３Ｂに示すセルフ検出方式の構成は一例であり、これに限定されるものではない。
【００４７】
図４Ａ、図４Ｂは実施の形態のセンサ付き表示装置のミューチャル検出方式とセルフ検出方式との駆動方法を説明するための図である。上述のように、映像表示に使用される共通電極ＣＯＭＥがタッチ位置検知用の電極としても共用されているため、映像表示動作とタッチ位置検知動作とを時分割（タイムシェアリング）で駆動する。
【００４８】
図４Ａに示すミューチャル検出方式では、映像を表示する期間とタッチ位置を検出する期間とをそれぞれ分割し、分割された映像表示期間と分割されたタッチ位置検出期間とを交互に繰り返して１フレーム表示期間を構成する。即ち、ＲＧＢの３色を選択する信号（ＳＥＬＲ／Ｇ／Ｂ）に対応して色毎の映像信号（ＳＩＧｎ）を出力する動作を分割された複数の表示行について実行した後、分割された複数の駆動電極Ｔｘに駆動パルスＳｉｇを入力するミューチャル検出動作を実行する。そして、この動作を分割された複数の表示行と複数の駆動電極Ｔｘについて順次繰り返して実行する。この例では、１フレーム表示期間に、２フレームのタッチ検出が行われる。１フレームのタッチ検出期間には、駆動電極Ｔｘ１，Ｔｘ２，Ｔｘ３・・・・が順次、駆動パルスＳｉｇにより走査され、タッチ位置の検出が行われる。
【００４９】
図４Ｂに示すセルフ検出方式では、１フレームの映像を表示した後、全検出電極ＤＥＴＥに自己検出用駆動パルス（Ｓｉｇ１）を入力してセルフ検出動作を実行する。即ち、ＲＧＢの３色を選択する信号（ＳＥＬＲ／Ｇ／Ｂ）に対応して色毎の映像信号（ＳＩＧｎ）を出力する動作を全表示行について実行した後、全検出電極ＤＥＴＥを対象として自己検出用駆動パルス（Ｓｉｇ１）を入力してセルフ検出動作を実行する。なお、全検出電極ＤＥＴＥ（Ｒｘ）を自己検出用駆動パルス（Ｓｉｇ１）で走査し、その後、全共通電極ＣＯＭＥ（Ｔｘ）を自己検出用駆動パルス（Ｓｉｇ２）で走査してセルフ検出動作を実行してもよい。セルフ検出方式で分割せずに一括してセンシング動作を行うのは、まとめてセンシングデータを取得することでセンシングの感度を高めることができるからである。尚、セルフ検出方式はミューチャル検出方式よりも高感度でセンシングすることができる方式である。また、図４Ｂの方式に限定されず図４Ａに示す検出期間にセルフセンシングしても良い（分割方式）。
【００５０】
次に、図面を用いて、実施の形態に係るセンサの構成の概略を説明する。なお、以下の説明において、複数の共通電極Ｃｏｍｅ１，Ｃｏｍｅ２，Ｃｏｍｅ３・・・・は、駆動電極Ｔｘ１、Ｔｘ２、Ｔｘ３、・・・・の記号を付して示す。また、複数の検出電極Ｄｅｔｅ１，Ｄｅｔｅ２，Ｄｅｔｅ３，・・・・は、Ｒｘ１、Ｒｘ２、Ｒｘ３、・・・・の記号を付して示す。また、理解を容易とするためおよび図面を見やすくするため、駆動電極（Ｔｘ１、Ｔｘ２等）は点線で描かれ、検出電極（Ｒｘ１、Ｒｘ２等）は実線で描かれている。また、引き出し線（Ｗ１１、Ｗ１２等）は細い実線で描かれている。
【００５１】
図５は、実施の形態に係るセンサ付き表示装置におけるセンサの構成例を概念的に示す平面図である。センサ付き表示装置ＤＳＰは、センサの活性領域(タッチ検出領域)ＡＡとその周りに設けられた周辺領域（額縁領域）とを含む表示パネルＰＮＬを有する。表示パネルＰＮＬは、図面において、第１辺（左辺）と、第１辺に対向する第２辺（右辺）と、第１辺および第２辺との間に設けられた第３辺（上辺）と、第３辺に対向する第４辺（下辺）と、有する。センサの活性領域(タッチ検出領域)ＡＡの周りの周辺領域（額縁領域）には、左側の額縁領域Ｅ１と右側の額縁領域Ｅ２が例示される。
【００５２】
センサの活性領域ＡＡには、例示的に示されるように、Ｙ方向に並走して設けられた複数の駆動電極Ｔｘ１、Ｔｘ２、Ｔｘ３、・・・、Ｔｘ８、および、Ｙ方向と交差するＸ方向に並走して設けられた複数の検出電極Ｒｘ１、Ｒｘ２、Ｒｘ３、・・・・、Ｒｘ８が設けられる。
【００５３】
図５において、左側の額縁領域Ｅ１には、複数の検出電極Ｒｘ１、Ｒｘ２、Ｒｘ３、・・・・、Ｒｘ８にそれぞれ結合された複数の引き出し配線Ｗ１１、Ｗ１２，Ｗ１３、Ｗ１４、・・・・、Ｗ１８が設けられる。複数の引き出し配線Ｗ１１、Ｗ１２，Ｗ１３、Ｗ１４、・・・・、Ｗ１８は、タッチ検出回路(タッチコントローラ、制御回路)ＴＣに接続される。
【００５４】
複数の駆動電極Ｔｘ１、Ｔｘ２、Ｔｘ３、・・・、Ｔｘ８は、複数の引き出し配線Ｗ２及び共通電極駆動回路ＣＤ（図示されない）を介して表示制御装置ＤＩに接続されており、タッチセンサの検出期間において、表示制御装置ＤＩからの指示に従って共通電極駆動回路ＣＤから駆動パルスＳｉｇにより順次駆動されるようになっている。なお、タッチ検出回路ＴＣは、表示制御装置ＤＩ内に設けられてもよい。
【００５５】
図６は、実施の形態に係るセンサ付き表示装置におけるセンサの他の構成例を概念的に示す平面図である。図６は、セルフ（Ｓｅｌｆ）検出方式に利用可能なセンサ付き表示装置ＤＳＰであり、センサ用の複数の電極Ｓｘ１１、Ｓｘ１２、Ｓｘ１３，Ｓｘ２１，Ｓｘ２２、Ｓｘ２３、．．．、Ｓｘ８１，Ｓｘ８２、Ｓｘ８３が、マトリクス状に、センサの活性領域(タッチ検出領域)ＡＡ上に配置された個別電極として形成される。センサ用の複数の電極Ｓｘ１１〜Ｓｘ８３は、映像表示期間において、表示用の共通電極ＣＯＭＥとして機能し、タッチセンサの検出期間においては、駆動電極および検出電極の機能を有する。以下では、センサ用の電極Ｓｘ１１〜Ｓｘ８３を、駆動電極として説明することとする。
【００５６】
駆動電極Ｓｘ１１〜Ｓｘ８３と対向して、複数の画素ＰＸが形成されている。駆動電極Ｓｘ１１〜Ｓｘ８３は、複数の引き出し配線Ｗ１１、Ｗ１２、Ｗ１３，Ｗ２１，Ｗ２２、Ｗ２３、．．．、Ｗ８１，Ｗ８２、Ｗ８３によって表示制御装置ＤＩに接続される。駆動電極Ｓｘ１１〜Ｓｘ８３は、タッチセンサの検出期間において、表示制御装置ＤＩからの指示に従って共通電極駆動回路ＣＤから駆動パルスにより順次駆動される。駆動電極Ｓｘ１１〜Ｓｘ８３の各個別電極からの検出信号は、引き出し配線Ｗ１１、Ｗ１２、Ｗ１３，Ｗ２１，Ｗ２２、Ｗ２３、．．．、Ｗ８１，Ｗ８２、Ｗ８３を介して表示制御装置ＤＩ内に設けられたタッチ検出回路ＴＣに供給され、直ちに、タッチ位置を割り出すことが出来る。一方、駆動電極Ｓｘ１１〜Ｓｘ８３は、映像表示期間において、共通電極ＣＯＭＥとして機能し、所定の電圧（ＶＣＯＭ）が印加される。
【００５７】
次に、図面を用いて、課題を説明する。
【００５８】
図７は、比較例に係る入出力回路を示す図である。図８は、実施の態様に係る面積の異なる駆動電極を説明する図である。図９は、映像表示期間におけるタイミングチャートを示す図である。図１０は、図９の共有電極の電位変化を、駆動電極の面積に基づいて示した波形図である。図１１は、面積の異なる駆動電極を有する表示パネルの表示例を示す図である。図１２は、検出期間における面積の異なる駆動電極の駆動パルスの波形の違いを説明する図である。
【００５９】
図７には、図６における１つの駆動電極に接続される入出力回路ＩＯＣが代表例として示される。この例では、駆動電極Ｓｘ１１に接続される入出力回路ＩＯＣが示される。入出力回路ＩＯＣは、抵抗素子Ｒｏ、外部端子Ｔｅｘ、および、引出し配線Ｗ１１を介して駆動電極Ｓｘ１１に接続される。外部端子Ｔｅｘは、表示制御装置ＤＩに設けられた外部接続パッドである。入出力回路ＩＯＣは、駆動回路ＡＭＰ１、駆動回路ＡＭＰ２、検出回路ＤＥＴ、スイッチＳＷ１〜ＳＷ３と、を含む。
【００６０】
映像表示期間において、スイッチＳＷ１が選択的に閉じられ（オン）、駆動回路ＡＭＰ１は、閉じられたスイッチＳＷ１を介して、駆動電極Ｓｘ１１へ所定の電圧（ＶＣＯＭ）を出力する。映像表示期間において、スイッチＳＷ２、ＳＷ３は開放（オフ）となる。検出期間において、スイッチＳＷ２、ＳＷ３が選択的に閉じられ（オン）、スイッチＳＷ１は開放（オフ）となる。駆動回路ＡＭＰ２は、閉じられたスイッチＳＷ２を介して、駆動電極Ｓｘ１１へ駆動パルスを出力する。一方、検出回路ＤＥＴは、閉じられたスイッチＳＷ３を介して、駆動電極Ｓｘ１１の容量変化を検出電圧として検出する。
【００６１】
図８は、カメラ等を備えた携帯端末の駆動電極を示す平面図である。携帯端末の表示パネルＰＮＬは、平面視において、矩形形状を有する。携帯端末の表示パネルＰＮＬには、カメラを搭載するめ、ノッチ部ＮＴＣやホール部ＨＯＬが設けられる場合がある。この場合、図８に示されるように、ノッチ部ＮＴＣやホール部ＨＯＬを形成するため、ノッチ部ＮＴＣに設けられた２つの駆動電極ＳｘＮの面積（Ｓ１）やホール部ＨＯＬの周りに設けられた４つの駆動電極ＳｘＨの面積（Ｓ２、Ｓ２＞Ｓ１）は、ノッチ部ＮＴＣやホール部ＨＯＬが設けられていない通常の駆動電極Ｓｘｎの面積（Ｓ３）より、少なくなる（Ｓ１＜Ｓ２＜Ｓ３）。また、表示パネルの表示領域の４つのコーナー部（角部）に丸みをつける場合に、４つのコーナー部に設けられた駆動電極ＳｘＣの形状も、表示パネルの表示部の形状に対応させる。この場合、駆動電極ＳｘＣの面積（Ｓ４）は通常の駆動電極Ｓｘｎの面積（Ｓ３）より、小さくなる（Ｓ４＜Ｓ３）。つまり、面積の異なる複数の駆動電極（ＳｘＮ、ＳｘＨ、ＳｘＣ、Ｓｘｎ）が１つの表示パネルに設けられることになる。なお、この例では、駆動電極の面積の関係が、Ｓ１＜Ｓ２＜Ｓ４＜Ｓ３であるものとして説明するが、これに限定されるものではない。
【００６２】
図９に示す様に、映像表示期間において、時刻ｔ１に、ゲート電極Ｇがロウレベルからハイレベルへ遷移すると、画素スイッチＳＷがオン状態となり、ソース線Ｓに供給された映像信号ＳＩＧが表示画素ＰＸの画素電極ＰＥに供給される。この時、共通電極ＣＯＭＥの電位ＶＣＯＭは、ソース線Ｓと画素電極ＰＥの少なくとも一方と共通電極ＣＯＭＥとのカップリング容量により、映像信号ＳＩＧの電位の上昇に基づいて、一時的に上昇した後、徐々に下降する。その後、時刻ｔ２に、ゲート電極Ｇがハイレベルからロウレベルへ遷移すると、画素スイッチＳＷがオフ状態となり、この時点における映像信号ＳＩＧの電位ＶＳｉｇと共通電極ＣＯＭＥの電位ＶＣＯＭｇとの電位差が表示画素ＰＸに映像信号として蓄積されることになる。なお、ゲート電極Ｇがハイレベルからロウレベルへ遷移した時点において、共通電極ＣＯＭＥの電位ＶＣＯＭｇは、元の電位へ完全に戻るわけではなく、いくらか電位を有しており、この電位は未収束電位Ｖｒと言うことがある。
【００６３】
図１０は駆動電極Ｓｘ（Ｓｘ１１、Ｓｘ１２、Ｓｘ１３、・・・）の波形である。タッチ検出のための駆動電極Ｓｘ（Ｓｘ１１、Ｓｘ１２、Ｓｘ１３、・・・）は表示のための複数の共通電極Ｃｏｍｅとされる。図１０において、駆動電極Ｓｘの面積が大きい場合、駆動電極Ｓｘの電位ＶＣＯＭは、実線ＬＬ示す様に変化する。一方、駆動電極Ｓｘの面積が小さい場合、点線ＬＳで示す様に変化する。これは、駆動電極Ｓｘの面積が大きい場合と小さい場合とで、駆動電極Ｓｘに寄生する容量値の違いにより、時定数が異なるためと考えられる。つまり、ノッチ部ＮＴＣに設けられた２つの駆動電極ＳｘＮ、ホール部ＨＯＬの周りに設けられた４つの駆動電極ＳｘＨ、および、表示パネルの４つのコーナーに設けられた駆動電極ＳｘＣは、面積が小さい分、時定数が小さくなる。時定数が小さい分、駆動電極Ｓｘの電位ＶＣＯＭｇｓは、面積が大きい駆動電極Ｓｘｎの電位ＶＣＯＭｇｌと比べ、低くなる。その結果、面積が大きい駆動電極Ｓｘｎに対応する表示画素ＰＸは暗くなり（ＤＫ）、面積が小さい駆動電極（ＳｘＮ、ＳｘＮ、ＳｘＣ）に対応する表示画素ＰＸは、面積が大きい駆動電極Ｓｘｎに対応する表示画素ＰＸと比較して、明るくなる（ＢＲ）。その結果、図１１に示す様に、表示パネルＰＮＬにおいて、面積が小さい駆動電極（ＳｘＮ、ＳｘＮ、ＳｘＣ）に対応する表示画素ＰＸが明るく（ＢＲ）なって、ブロック状に見えてしまう場合がある。
【００６４】
面積が小さい駆動電極（ＳｘＮ、ＳｘＮ、ＳｘＣ）の時定数と、面積が大きい駆動電極（Ｓｘｎ）の時定数の違いから、検出期間における駆動パルスの波形が異なってしまう。つまり、図１２に示す様に、面積が小さい駆動電極（ＳｘＮ、ＳｘＮ、ＳｘＣ）に対する駆動パルスによる電荷量Ｑの波形は、点線ＬＳ２で示す様に、早く変化する。一方、面積が大きい駆動電極（Ｓｘｎ）に対する駆動パルスによる電荷量Ｑの波形は、実線ＬＬ２で示す様に、点線ＬＳ２と比較して、遅く変化する。この結果、検出期間において、タッチ検出の誤判定を起こす場合がある。
【００６５】
次に、図を用いて、上記課題を解決するための、回路構成を説明する。
【００６６】
図１３は、実施の態様に係る時定数調整回路を備えた入出力回路を示す図である。図１３が図7と異なる点は、入出力回路ＩＯＣと外部端子Ｔｅｘとの間に、時定数調整回路ＴＣＣが設けられている点である。時定数調整回路ＴＣＣは、複数のスイッチ素子ＳＷａ、ＳＷｂ、ＳＷｃ、ＳＷｄと、複数の抵抗素子Ｒｂ、Ｒｃ、Ｒｄと、を含む。スイッチ素子ＳＷａは、抵抗素子を介することなく、入出力回路ＩＯＣと外部端子Ｔｅｘとの間に設けられる。スイッチ素子ＳＷｂと抵抗素子Ｒｂとは、入出力回路ＩＯＣと外部端子Ｔｅｘとの間に、直列に接続されている。スイッチ素子ＳＷｃと抵抗素子Ｒｃとは、入出力回路ＩＯＣと外部端子Ｔｅｘとの間に、直列に接続されている。スイッチ素子ＳＷｄと抵抗素子Ｒｄとは、入出力回路ＩＯＣと外部端子Ｔｅｘとの間に、直列に接続されている。
【００６７】
図１３には、さらに、表示制御装置ＤＩに設けられたレジスタＲＥＧが示される。レジスタＲＥＧは、複数のスイッチ素子ＳＷａ、ＳＷｂ、ＳＷｃ、ＳＷｄのそれぞれのオン状態およびオフ状態を制御するため制御データを、命令により設定可能である。レジスタＲＥＧに設定された制御データによって、複数のスイッチ素子ＳＷａ、ＳＷｂ、ＳＷｃ、ＳＷｄのそれぞれのオン状態およびオフ状態が制御される。
【００６８】
したがって、複数のスイッチ素子ＳＷａ、ＳＷｂ、ＳＷｃ、ＳＷｄのオン状態およびオフ状態を制御することにより、入出力回路ＩＯＣと外部端子Ｔｅｘとの間における抵抗値が時定数調整回路ＴＣＣによって調整できるので、入出力回路ＩＯＣと駆動電極Ｓｘ１１との間における時定数の調整を行うことが可能である。この例では、入出力回路ＩＯＣと面積が大きい駆動電極（Ｓｘｎ）との間における時定数に、入出力回路ＩＯＣと面積が小さい駆動電極（ＳｘＮ、ＳｘＮ、ＳｘＣ）との間における時定数をあわせるように、時定数調整回路ＴＣＣによって時定数が調整される。
【００６９】
図１３では、例示的に、駆動電極Ｓｘ１１をコーナー部の駆動電極ＳｘＣとした場合における時定数調整回路ＴＣＣの状態を示している。この場合、スイッチ素子ＳＷａはオフ状態、スイッチ素子ＳＷｂ、ＳＷｃ、ＳＷｄはオン状態になっている。これにより、駆動電極ＳｘＣには、抵抗素子Ｒｂ、Ｒｃ、Ｒｄに対応する時定数が加算されることになる。抵抗素子Ｒｂ、Ｒｃ、Ｒｄの値を同一の値Ｒと考えた場合、時定数調整回路ＴＣＣによって、Ｒ／３の時定数が入出力回路ＩＯＣと駆動電極Ｓｘ１１との間に付加される。
【００７０】
なお、図１３では、図６や図８に示す駆動電極Ｓｘ１１〜Ｓｘ８３、ＳｘＮ、ＳｘＮ、ＳｘＣ、Ｓｘｎについて説明したが、これに限定されない。図５に示す駆動電極Ｔｘ１〜ＴＸ８、検出電極Ｒｘ１〜Ｒｘ８に対する駆動回路にも、適用可能である。
【００７１】
図１４は、時定数調整回路を用いた場合の映像表示期間における共通電極Ｃｏｍｅの電位変化を説明する波形図である。図１５は、時定数調整回路を用いた場合の検出期間における駆動電極の駆動パルスの波形図である。タッチ検出のための駆動電極Ｓｘ（Ｓｘ１１、Ｓｘ１２、Ｓｘ１３、・・・）は表示のための複数の共通電極Ｃｏｍｅとされる。
【００７２】
図１４に示す様に、入出力回路ＩＯＣと面積が小さい駆動電極（ＳｘＮ、ＳｘＮ、ＳｘＣ）との間における時定数を調整時定数調整回路ＴＣＣにより調整すると、駆動電極（ＳｘＮ、ＳｘＮ、ＳｘＣ）の面積が小さい場合の波形ＬＳが、駆動電極Ｓｘｎの面積が大きい場合の波形ＬＬに一致するように、波形ＬＳと波形ＬＬとの間の電位レベルの差分が改善される。これにより、面積が小さい駆動電極（ＳｘＮ、ＳｘＮ、ＳｘＣ）の電位ＶＣＯＭｇｓと面積が大きい駆動電極Ｓｘｎの電位ＶＣＯＭｇｌとの電位レベルの差分が改善される。したがって、面積が大きい駆動電極Ｓｘｎに対応する表示画素ＰＸの明るさと、面積が小さい駆動電極（ＳｘＮ、ＳｘＮ、ＳｘＣ）に対応する表示画素ＰＸの明るさと、をほぼ均等にできる。つまり、ブロック状に見えてしまうことを防止できる。
【００７３】
図１５に示す様に、入出力回路ＩＯＣと面積が小さい駆動電極（ＳｘＮ、ＳｘＮ、ＳｘＣ）との間における時定数を調整時定数調整回路ＴＣＣにより調整すると、タッチ検出時に、面積が小さい駆動電極（ＳｘＮ、ＳｘＮ、ＳｘＣ）の場合の波形ＬＳ２が、面積が大きい駆動電極Ｓｘｎの場合の波形ＬＬ２に一致するように、波形ＬＳ２と波形ＬＬ２との間の電位レベルの差分が改善される。これにより、検出期間において、タッチ検出の誤判定を起こす可能性を低減することができる。
【００７４】
図１６は、図８に示す駆動電極を駆動する場合の時定数調整回路の状態とその等価回路とを示す図である。図１６において、左側には、各駆動電極に対する時定数調整回路ＴＣＣのスイッチ素子ＳＷａ、ＳＷｂ、ＳＷｃ、ＳＷｄのオン状態およびオフ状態が示される。また、図１６において、右側には、各駆動電極に対する時定数調整回路ＴＣＣによって付加される時定数の等価回路が示される。なお、以下では、抵抗素子Ｒｂ、Ｒｃ、Ｒｄの値を同一の値Ｒと考えた場合について説明する。
【００７５】
表示パネルＰＮＬの４つのコーナーに設けられた駆動電極ＳｘＣに対応する時定数調整回路ＴＣＣにおいて、スイッチ素子ＳＷａ、ＳＷｂ、ＳＷｃ、ＳＷｄは、オフ状態、オン状態、オン状態、オン状態にされる。したがって、この場合、時定数調整回路ＴＣＣによって、Ｒ／３の時定数が付加される。
【００７６】
ホール部ＨＯＬの周りに設けられた４つの駆動電極ＳｘＨに対応する時定数調整回路ＴＣＣにおいて、スイッチ素子ＳＷａ、ＳＷｂ、ＳＷｃ、ＳＷｄは、オフ状態、オフ状態、オン状態、オン状態にされる。したがって、この場合、時定数調整回路ＴＣＣによって、Ｒ／２の時定数が付加される。
【００７７】
通常の駆動電極Ｓｘｎに対応する時定数調整回路ＴＣＣにおいて、スイッチ素子ＳＷａ、ＳＷｂ、ＳＷｃ、ＳＷｄは、オン状態、オフ状態、オフ状態、オフ状態にされる。したがって、この場合、時定数調整回路ＴＣＣによって、時定数が付加されない（０）。
【００７８】
ノッチ部ＮＴＣに設けられた２つの駆動電極ＳｘＮに対応する時定数調整回路ＴＣＣにおいて、スイッチ素子ＳＷａ、ＳＷｂ、ＳＷｃ、ＳＷｄは、オフ状態、オン状態、オフ状態、オフ状態にされる。したがって、この場合、時定数調整回路ＴＣＣによって、Ｒの時定数が付加される。
【００７９】
図１３および図１６では、図８に示す様に、面積の異なる４つの駆動電極（ＳｘＮ、ＳｘＮ、ＳｘＣ、Ｓｘｎ）が表示パネルＰＮＬに存在することを前提として、時定数調整回路ＴＣＣが４種類の時定数（０、Ｒ、Ｒ／２、Ｒ／３）を調整可能に構成されている。表示パネルＰＮＬに面積の異なるＮ個の駆動電極が存在する場合、時定数調整回路ＴＣＣは、Ｎ種類の時定数を調整可能に構成すればよい。また、異なるＮ個の駆動電極の面積あるいは面積比に応じて、時定数が略同一に設定できるように、抵抗素子Ｒｂ、Ｒｃ、Ｒｄの値は異なる値としてもよい。
【００８０】
実施態様によれば、次の１または複数の効果を得ることができる。
【００８１】
１）駆動電極の面積に応じて、時定数調整回路ＴＣＣによって付加される時定数を調整することにより、ブロック状に見えてしまうことを防止できる。したがって、表示パネルの表示品質を向上させることができる。
【００８２】
２）駆動電極の面積に応じて、時定数調整回路ＴＣＣによって付加される時定数を調整することにより、タッチ検出の誤判定を起こす可能性を低減することができる。
【００８３】
３）時定数調整回路ＴＣＣは、表示パネルＰＮＬに設けられたすべての駆動電極に対応する駆動回路（ＩＯＣ）に設けた。そのため、表示パネルＰＮＬに設けられる、ノッチ部ＮＴＣの個数および配置位置、ホール部ＨＯＬの個数および配置位置に柔軟に対応することが可能である。
【００８４】
（変形例）
次に、いくつかの変形例を説明する。
【００８５】
（変形例１）
図１７は、変形例１に係る時定数調整回路を示す図である。図１３に示す時定数調整回路ＴＣＣは、抵抗素子Ｒｂ、Ｒｃ、Ｒｄによって、時定数を調整した。図１７の時定数調整回路ＴＣＣでは、複数の容量素子Ｃｂ、Ｃｃ、Ｃｄによって、時定数を調整する。容量素子Ｃｂ、Ｃｃ、Ｃｄは、スイッチ素子ＳＷｂ、ＳＷｃ、ＳＷｄのそれぞれのオン状態およびオフ状態を制御することにより、入出力回路ＩＯＣと外部端子Ｔｅｘとの間における容量値が時定数調整回路ＴＣＣによって調整できる。これにより、入出力回路ＩＯＣと駆動電極Ｓｘ１１との間における時定数の調整を行うことが可能である。
【００８６】
（変形例２）  図１８は、変形例２に係る時定数調整回路を示す図である。図１８に示される時定数調整回路ＴＣＣには、図１３に示された複数のスイッチ素子ＳＷａ、ＳＷｂ、ＳＷｃ、ＳＷｄおよび複数の抵抗素子Ｒｂ、Ｒｃ、Ｒｄに追加して、図１７で示したようなスイッチ素子ＳＷｅ、ＳＷｆおよび容量素子Ｃｅ、Ｃｆが設けられる。つまり、スイッチ素子ＳＷａ、ＳＷｂ、ＳＷｃ、ＳＷｄＳＷｅ、ＳＷｆのそれぞれのオン状態およびオフ状態を制御することにより、抵抗素子（Ｒｂ、Ｒｃ、Ｒｄ）による時定数と容量素子（Ｃｅ、Ｃｆ）による時定数とを調整することが可能である。
【００８７】
（変形例３）
図１６に示す構成では、表示パネルＰＮＬに設けられたすべての駆動電極に対して時定数調整回路ＴＣＣを設けた構成例を示した。しかしながら、すべての駆動電極に対して時定数調整回路ＴＣＣを設けると、表示制御装置ＤＩのチップ面積が増加してしまうと考えられる。変形例３では、特定の駆動電極に対してのみ時定数調整回路ＴＣＣを設ける構成例を説明する。
【００８８】
図１９は、表示パネルＰＮＬの上部側に１つのノッチ部ＮＴＣが設けられた場合の駆動電極の平面図である。図２０は、表示パネルＰＮＬの上部側に１つのホール部ＨＯＬが設けられた場合の駆動電極の平面図である。図１９および図２０からわかるように、ノッチ部ＮＴＣやホール部ＨＯＬは、表示パネルＰＮＬの上部側に設けられることが多い。言い方を変えれば、ノッチ部ＮＴＣやホール部ＨＯＬは、表示パネルＰＮＬをＹ方向に、たとえば、５等分した場合において、上方の１／５の領域に主に設けられる可能性が高く、下方の４／５の領域には設けられない可能性が高い。
【００８９】
また、表示パネルＰＮＬの４つのコーナー部に位置する駆動電極ＳｘＣは、表示パネルＰＮＬの外形に合わせて、駆動電極Ｓｘｎの面積と比較して、面積の少ない駆動電極とされる可能性が高い。
【００９０】
したがって、図１９および図２０において、網掛けで示される駆動電極（表示パネルＰＮＬの上方の１／５の領域に設けられる駆動電極、および、下方の２つコーナー部の駆動電極ＳｘＣ）に対して、時定数制御回路ＴＣＣを付加し、それ以外の網掛けのない白色の駆動電極に対しては、時定数制御回路ＴＣＣを付加しない構成とすることができる。
【００９１】
図２１は、網掛けで示される駆動電極およびそれ以外の駆動電極に対する回路構成を示す図である。図２１に示す様に、網掛けで示される駆動電極（表示パネルＰＮＬの上方の１／５の領域に設けられる駆動電極（ＳｘＣ、Ｓｘｎ、ＳｘＮまたはＳｘＨ）、および、下方の２つコーナー部の駆動電極（ＳｘＣ））に対しては、時定数制御回路ＴＣＣが設けられる。一方、それ以外の網掛けのない白色の駆動電極（Ｓｘｎ）に対しては、時定数制御回路ＴＣＣが付加されていない。時定数制御回路ＴＣＣは、図１３、図１７または図１８に示す時定数制御回路ＴＣＣを利用することが可能である。
【００９２】
したがって、図１６と比較して、表示制御装置ＤＩに設けられる時定数調整回路ＴＣＣの数をほぼ１／５にできるので、表示制御装置ＤＩのチップ面積の増加を低減することができる。
【００９３】
この場合、さらに、表示制御装置ＤＩに設けられる時定数調整回路ＴＣＣを制御するレジスタＲＥＧのビット数も、図１６と比較して、ほぼ１／５にできる。したがって、命令によるレジスタＲＥＧへの制御データのセット動作も、短時間に行うことができる。
【００９４】
さらに、ノッチ部ＮＴＣやホール部ＨＯＬは、表示パネルＰＮＬの上方の１／５の領域内において、配置位置や個数を任意に決定できるので、表示パネルＰＮＬの設計の自由度を妨げることもない。
【００９５】
変形例３では、表示パネルＰＮＬの上方の１／５の領域としたが、これに限定されない。少なくとも４つのコーナー部の駆動電極（ＳｘＣ）と、ノッチ部ＮＴＣやホール部ＨＯＬが形成されると予想される領域内の駆動電極に対して、時定数調整回路ＴＣＣによって時定数を付加できるようにすればよい。
【００９６】
本発明の実施の形態として上述した表示装置を基にして、当業者が適宜設計変更して実施し得る全ての表示装置も、本発明の要旨を包含する限り、本発明の範囲に属する。
【００９７】
本発明の思想の範疇において、当業者であれば、各種の変更例及び修正例に想到し得るものであり、それら変更例及び修正例についても本発明の範囲に属するものと了解される。例えば、上述の各実施形態に対して、当業者が適宜、構成要素の追加、削除もしくは設計変更を行ったもの、又は、工程の追加、省略若しくは条件変更を行ったものも、本発明の要旨を備えている限り、本発明の範囲に含まれる。
【００９８】
また、本実施形態において述べた態様によりもたらされる他の作用効果について本明細書記載から明らかなもの、又は当業者において適宜想到し得るものについては、当然に本発明によりもたらされるものと解される。
【００９９】
上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０１００】
ＤＳＰ：表示装置
ＰＮＬ：表示パネル
ＤＩ：表示制御装置
ＩＯＣ：入出力回路
ＡＭＰ１、ＡＭＰ２：駆動回路
ＤＥＴ：検出回路
ＮＴＣ：ノッチ部
ＨＯＬ：ホール部
Ｓｘ、ＳｘＮ、ＳｘＨ、ＳｘＣ、Ｓｘｎ：駆動電極
ＴＣＣ：時定数調整回路
Ｒｂ、Ｒｃ、Ｒｄ：抵抗素子
ＳＷａ、ＳＷｂ、ＳＷｃ、ＳＷｄ：スイッチ素子
Ｃｂ、Ｃｃ、Ｃｄ、Ｃｅ、Ｃｆ：容量素子
ＲＥＧ：レジスタ
【図１】
2020095491.tif 000003
【図２】
2020095491.tif 000004
【図３Ａ】
2020095491.tif 000005
【図３Ｂ】
2020095491.tif 000006
【図４Ａ】
2020095491.tif 000007
【図４Ｂ】
2020095491.tif 000008
【図５】
2020095491.tif 000009
【図６】
2020095491.tif 000010
【図７】
2020095491.tif 000011
【図８】
2020095491.tif 000012
【図９】
2020095491.tif 000013
【図１０】
2020095491.tif 000014
【図１１】
2020095491.tif 000015
【図１２】
2020095491.tif 000016
【図１３】
2020095491.tif 000017
【図１４】
2020095491.tif 000018
【図１５】
2020095491.tif 000019
【図１６】
2020095491.tif 000020
【図１７】
2020095491.tif 000021
【図１８】
2020095491.tif 000022
【図１９】
2020095491.tif 000023
【図２０】
2020095491.tif 000024
【図２１】
2020095491.tif 000025